(57)【要約】      （修正有）【課題】ダイレクトボンディング法でタッチセンサとディスプレイを接合する際の気泡噛み込の低減を図り、タッチセンサとディスプレイの密着性を向上させて視認性を向上する画像表示装置およびその作製方法を提供する。【解決手段】静電容量方式のタッチセンサ３、該タッチセンサの裏面側に形成される第１透明保護層（クリア飛散防止層）５、ＬＣＤまたは有機ＥＬディスプレイ２、該ディスプレイの表面側に形成される第２透明保護層（クリアハードコート層）４、第１透明保護層と第２透明保護層の間に設けられる紫外線硬化性或いは熱硬化性の光学透明接着液の硬化により形成された光学透明接着剤層光学透明接着層を含む画像表示装置１において、第１透明保護層の光学透明接着剤層側に粗面（凹凸）構造が形成され、及び／又は、透明飛散防止層の光学透明接着剤層側に粗面構造が形成され、形成された粗面の水との接触角が７０°以下である。【選択図】図１
2015114852.tif 000002
【特許請求の範囲】
【請求項１】
静電容量方式のタッチセンサ、該タッチセンサの裏面側に形成される第１透明保護層（クリア飛散防止層）、ＬＣＤまたは有機ＥＬディスプレイ、該ディスプレイの表面側に形成される第２透明保護層（クリアハードコート層）、第１透明保護層と第２透明保護層の間に設けられる紫外線硬化性或いは熱硬化性の光学透明接着液の硬化により形成された光学透明接着剤層を含む画像表示装置において、
前記第１透明保護層の前記光学透明接着剤層側に粗面（凹凸）構造が形成され、
及び／又は、
前記透明飛散防止層の前記光学透明接着剤層側に粗面（凹凸）構造が形成され、
前記粗面の水との接触角が７０°以下であることを特徴とする画像表示装置。
【請求項２】
前記粗面の水との接触角が４５°以下であることを特徴とする請求項１に記載の画像表示装置。
【請求項３】
前記粗面の水との接触角が３０°以下であることを特徴とする請求項１に記載の画像表示装置。
【請求項４】
前記粗面（凹凸）構造における粗面の表面積は、平坦面の表面積との比率が１．２以上であることを特徴とする請求項１〜３の何れかに記載の画像表示装置。
【請求項５】
前記粗面（凹凸）構造は、透明基材の上に突起を成形し、突起の高さが１〜１０μｍ、突起間の距離は０．１〜１００μｍであることを特徴とする請求項１〜４の何れかに記載の画像表示装置。
【請求項６】
前記粗面（凹凸）構造は、透明基材の上に凹凸形状を成形し、ランダム凹凸形状面の表面粗さＲａの範囲が、０．５〜２μｍであることを特徴とする請求項１〜４の何れかに記載の画像表示装置。
【請求項７】
前記粗面（凹凸）構造は、透明基材の上にプリズム形状を成形し、プリズムの頂角が６０〜１２０°でプリズムの高さが１〜１０μｍ、ピッチが１〜１００μｍであることを特徴とする請求項１〜４の何れかに記載の画像表示装置。
【請求項８】
前記粗面（凹凸）構造における粗面の上に、親和性を有する透明樹脂液層を均一形成したことを特徴とする請求項１〜７の何れかに記載の画像表示装置。
【請求項９】
前記第１透明保護層の屈折率ｎ１と前記第２透明保護層の屈折率ｎ２は、前記光学透明接着剤層の屈折率ｎ３に対して、
以下の関係式を満たすことを特徴とする請求項１〜８の何れかに記載の画像表示装置。
（数１）
｜ｎ１−ｎ２｜  ＜  ０．２
｜ｎ３−ｎ２｜  ＜  ０．２
【請求項１０】
前記第１透明保護層の屈折率ｎ１と前記第２透明保護層の屈折率ｎ２は、前記光学透明接着剤層の屈折率ｎ３に対して、
以下の関係式を満たすことを特徴とする請求項１〜８の何れかに記載の画像表示装置。
（数２）
｜ｎ１−ｎ２｜  ＜  ０．１
｜ｎ３−ｎ２｜  ＜  ０．１
【請求項１１】
前記光学透明接着剤層は、ＯＣＲ(Optically Clear Resin)、ＯＣＡ（Optical Clear Adhesive）またはＬＯＣＡ(Liquid Optically Clear Adhesives)の何れかであることを特徴とする請求項１〜１０の何れかに記載の画像表示装置。
【請求項１２】
請求項１〜１１の何れかに記載の画像表示装置における前記第１透明保護層または前記第２透明保護層に用いる粗面（凹凸）構造が片面に形成された透明保護シート。
【請求項１３】
ダイレクトボンディング法でタッチセンサとディスプレイを接合する画像表示装置の作製方法において、
転写成形した紫外線硬化樹脂に紫外線を照射して硬化させて、透明基材表面に粗面形状を形成させて、クリア飛散防止層となる第１透明保護シートおよびクリアハードコート層となる第２透明保護シートを形成するステップと、
静電容量方式のタッチセンサの裏面側に第１透明保護シートを貼りつけるステップと、
ＬＣＤまたは有機ＥＬディスプレイの表面側に第２透明保護シートを貼りつけるステップと、
前記タッチセンサの裏面側と前記ディスプレイの表面側を、ＯＣＲ(Optically Clear Resin)、ＯＣＡ（Optical Clear Adhesive）またはＬＯＣＡ(Liquid
Optically Clear Adhesives)の何れかの光学透明接着剤層を介して接合するステップと、
を備えることを特徴とする画像表示装置の作製方法。
【発明の詳細な説明】
【技術分野】
【０００１】
本発明は、ダイレクトボンディング法でタッチセンサとディスプレイを接合する際の、製造歩留まり及びが図品質を向上させた画像表示装置およびその作製方法に関するものである。
【背景技術】
【０００２】
近年、スマートフォンやタブレット端末などには、テキスト、グラフィックなどの情報入力が可能な入力装置としてタッチセンサが搭載されている。タッチセンサは、液晶表示装置（ＬＣＤ；Liquid Crystal Display device）、ＰＤＰ（Plasma
Display Panel）、ＯＥＬＤ（Organic  Electro-Luminescence
Display）などのフラットパネルディスプレイのような画像表示装置の表示面に取付けられ、ユーザが画像表示装置を見ながら求める情報を選択するために用いられる。タッチセンサの種類は、抵抗膜方式（Resistive）、静電容量方式（Capacitive）、電磁方式（Electro-Magnetic）、表面弾性波方式（ＳＡＷ；Surface
Acoustic Wave）及び赤外線方式（Infrared）に区分される。このような方式のタッチセンサは、解像度、光学的特性、電気的特性、機械的特性、耐久性などを考慮して採用される。スマートフォンやタブレット端末などに多く採用されているタッチセンサは、静電容量方式のものである。
【０００３】
スマートフォンやタブレット端末などは、屋内環境で使用するだけではなく、屋外等のシビアな環境下で使用することも多い。このため、ディスプレイの表示画像のコントラスト比を高め視認性を向上する必要がある。視認性向上を図るため、タッチセンサとディスプレイの間のエアギャップ(air gap)を充填することが有効である。そのため、タッチセンサの裏面とディスプレイの表示側（表面）を接合する方法として、ダイレクトボンディング法が採用されている。
タッチセンサとディスプレイを接合するダイレクトボンディング法について、例えば、液晶ディスプレイ２を例にして図８を参照しながら説明する。まず、液晶ディスプレイに貼り合せるタッチセンサ３の位置合せを行う。次に、図８に示すように、液晶ディスプレイ２の周囲にダム剤２０を塗布する。ダム剤２０が硬化してから、光学透明接着層としてＯＣＲ (Optically Clear Resin)６を液晶ディスプレイ２の表面に塗布する。液晶ディスプレイ２とタッチセンサ３を貼り合せて、位置合せの確認を行う。その後、ＯＣＲ４を紫外線照射により硬化させる。
ダイレクトボンディング法により、図５の拡大断面模式図を示すように、液晶ディスプレイ２に表側（光の出射側）にクリアハードコート層４が設けられ、タッチセンサ３の裏側（光の入射側）にクリア飛散防止層５が設けられ、クリアハードコート層４の表側（光の出射側）とクリア飛散防止層５の裏側（光の入射側）が、光学透明接着層であるＯＣＲ(Optically Clear Resin)を介して接合される。
このように、液晶ディスプレイとタッチセンサを光学透明接着剤で全面貼り付けする方法が知られている（例えば、特許文献１を参照）。光学透明接着剤は、光硬化型を用いることで、硬化前に検査し、気泡や異物がある場合は、硬化せずに一旦剥がし、接着剤を除去した後、再度接着剤を塗布して貼り合わせることが可能である。液晶ディスプレイとタッチセンサを貼り合せる際に、気泡等の噛み込みにより、気泡が残存しないように、光学透明接着剤を液晶ディスプレイの表面に塗布するやり方をＸ字状に塗布したりＹ字状に塗布したり工夫しているのが現状である。
この他、液晶ディスプレイ２とタッチセンサ３を光学透明粘着シートで貼り合わせる方法もある（例えば、特許文献２を参照）。光学透明粘着シートでの全面貼り合わせは、光学透明接着シートの一方の面の粘着力を調整し貼り合わせにより発生した気泡や異物などが発生した場合、一旦引き剥がし清掃し貼り直しすることができる。
【先行技術文献】
【特許文献】
【０００４】
【特許文献１】特開平０９−２７４５３６公報
【特許文献２】特開２００４−５５４０公報
【発明の概要】
【発明が解決しようとする課題】
【０００５】
通常、液晶ディスプレイの表面にはクリアハードコート層、タッチセンサの裏面側にはクリアハードコートにクリア飛散防止層を設けたシートが使用されている。ＯＣＲ (Optically Clear Resin)を介してダイレクトボンディングする際に、気泡等の噛み込みにより、気泡が残存し、画像品質が悪くなり歩留まりの低下につながるという問題がある。特にダイレクトボンディング法ではリワークが困難であるため、歩留まりの低下は収益悪化につながることになる。
【０００６】
上記状況に鑑みて、本発明は、ダイレクトボンディング法でタッチセンサとディスプレイを接合する際の気泡噛み込の低減を図り、タッチセンサとディスプレイの密着性を向上させて視認性を向上する画像表示装置およびその作製方法を提供することを目的とする。
【課題を解決するための手段】
【０００７】
本発明者らは、タッチセンサとディスプレイを接合するプロセスを鋭意検討した結果、液晶ディスプレイの表面のクリアハードコート層に粗面構造を形成させること、及び／又は、タッチセンサの裏面のクリア飛散防止層に粗面構造を形成させることにより、タッチセンサとディスプレイの密着性を向上させて視認性を向上できることの知見を得た。
【０００８】
すなわち、本発明の画像表示装置は、静電容量方式のタッチセンサ、該タッチセンサの裏面側に形成される第１透明保護層（クリア飛散防止層）、ＬＣＤまたは有機ＥＬディスプレイ、該ディスプレイの表面側に形成される第２透明保護層（クリアハードコート層）、第１透明保護層と第２透明保護層の間に設けられる紫外線硬化性或いは熱硬化性の光学透明接着液の硬化により形成された透明接着層を含む画像表示装置において、第１透明保護層の光学透明接着剤層側に粗面（凹凸）構造が形成され、及び／又は、透明飛散防止層の光学透明接着剤層側に粗面（凹凸）構造が形成される。そして、形成された粗面の水との接触角が７０°以下であることを特徴とする。
【０００９】
本発明の画像表示装置において、粗面の水との接触角が４５°以下であることがより密着性を高め、また、粗面の水との接触角が３０°以下であることが更に密着性を高め視認性を向上できる。なお、本明細書において、接触角の測定は、ＪＩＳ  Ｒ３２６５に準拠している。
上記の光学透明接着層は、紫外線硬化液体接着剤、熱誘発紫外線硬化液体接着剤、水分誘発紫外線硬化液体接着剤のいずれか１つまたは複数を硬化させることにより形成できる。熱誘発紫外線硬化液体接着剤は、適切な波長を有する紫外線光の照射により固体に硬化される液体接着剤であり、紫外線により照射されていない部分がその後に熱により硬化できる。水分誘発紫外線硬化液体接着剤は、適切な波長を有する紫外線光の照射により固体に硬化される液体接着剤であり、紫外線により照射されていない部分がその後に水分により硬化できる。熱誘発紫外線硬化液体接着剤と水分誘発紫外線硬化液体接着剤は、例えばアクリルベースまたはシリコンベースの接着剤である。
なお、タッチセンサと第１透明保護層（クリア飛散防止層）が透明であるため、紫外線の照射により接着層を形成する紫外線硬化液体接着剤の完全硬化が可能である。
【００１０】
ここで、粗面（凹凸）構造における粗面の表面積は、平坦面の表面積との比率が１．２以上で、より好ましくは比率が１．５以上、更に好ましくは２．０以上であることが好ましい。
【００１１】
また、粗面（凹凸）構造は、透明基材の上に突起を成形し、突起の高さが１〜１０μｍ、突起間の距離は０．１〜１００μｍであることが好ましい。
【００１２】
また、粗面（凹凸）構造は、透明基材の上に凹凸形状を成形し、ランダム凹凸形状面の表面粗さＲａの範囲が、０．５〜２μｍであることが好ましい。
【００１３】
また、粗面（凹凸）構造は、透明基材の上にプリズム形状を成形し、プリズムの頂角が６０〜１２０°でプリズムの高さが１〜１０μｍ、ピッチが１〜１００μｍであることが好ましい。
【００１４】
また、粗面（凹凸）構造における粗面の上に、親和性を有する透明樹脂層を均一形成したことが好ましい。ここで、透明樹脂とは、膜厚を３０μｍとした場合、７０％以上の平行光線透過率を示す有機重合体（ポリマー）である。親和性を有する透明樹脂としては、例えば、ポリエステル、ポリエーテル、ポリカーボネート、ポリエーテルスルホン、ポリメチルメタクリレートなどが挙げられる。
【００１５】
また、第１透明保護層の屈折率ｎ１と第２透明保護層の屈折率ｎ２は、光学透明接着剤層の屈折率ｎ３に対して、下記式１を満たすことが好ましく、下記式２を満たすことが更に好ましい。
（数１）
｜ｎ１−ｎ２｜  ＜  ０．２，  ｜ｎ３−ｎ２｜  ＜  ０．２    ・・・（式１）
（数２）
｜ｎ１−ｎ２｜  ＜  ０．１，  ｜ｎ３−ｎ２｜  ＜  ０．１    ・・・（式２）
【００１６】
また、本発明の画像表示装置における光学透明接着剤層は、ＯＣＲ(Optically Clear Resin)、ＯＣＡ（Optical Clear Adhesive）またはＬＯＣＡ(Liquid
Optically Clear Adhesives)の何れかを好適に用いることができる。
【００１７】
本発明の透明保護シートは、上記の画像表示装置における第１透明保護層または第２透明保護層に用いる粗面（凹凸）構造が片面に形成されるものである。
【００１８】
本発明の画像表示装置の作製方法は、ダイレクトボンディング法でタッチセンサとディスプレイを接合する画像表示装置の作製方法において、下記１）〜４）のステップを備える。
１）転写成形した紫外線硬化樹脂に紫外線を照射して硬化させて、透明基材表面に粗面形状を形成させて、クリア飛散防止層となる第１透明保護シートおよびクリアハードコート層となる第２透明保護シートを形成するステップ
２）静電容量方式のタッチセンサの裏面側に第１透明保護シートを貼りつけるステップ
３）ＬＣＤまたは有機ＥＬディスプレイの表面側に第２透明保護シートを貼りつけるステップ
４）タッチセンサの裏面側とディスプレイの表面側を、ＯＣＲ(Optically Clear Resin)、ＯＣＡ（Optical Clear Adhesive）またはＬＯＣＡ(Liquid
Optically Clear Adhesives)の何れかの光学透明接着剤層を介して接合するステップ
【発明の効果】
【００１９】
本発明の画像表示装置によれば、ＯＣＲなどの光学透明接着剤層の接合面が粗面状であるため光学透明接着剤層との濡れ性がよく、しかも粗面である凹凸形状の間に隙間があるため気泡も抜けやすいためダイレクトボンディングで接合後の気泡残存がない。また、光学透明接着剤層との接合面が粗面状であるため光学透明接着剤層との接触面積が増大し密着性が向上できる。
【図面の簡単な説明】
【００２０】
【図１】本発明の画像表示装置の拡大断面模式図
【図２】実施例１の画像表示装置の説明図
【図３】粗面の濡れ性（接触角）特性グラフ
【図４】本発明の画像表示装置の作製処理フロー図
【図５】従来の画像表示装置の拡大断面模式図
【図６】粗面の濡れ性（接触角）の説明図
【図７】実施例１の画像表示装置における透明保護層の粗面の濡れ性を示す画像
【図８】ダイレクトボンディング法の一例の説明図
【発明を実施するための最良の形態】
【００２１】
以下、本発明の実施形態の一例を、図面を参照しながら詳細に説明していく。なお、本発明の範囲は、以下の実施例や図示例に限定されるものではなく、幾多の変更及び変形が可能である。
【００２２】
図１は本発明の画像表示装置の拡大断面模式図を示している。図１に示す画像表示装置では、液晶ディスプレイ２に表側（光の出射側）にクリアハードコート層４が設けられている。また、タッチセンサ３の裏側（光の入射側）にクリア飛散防止層５が設けられている。そして、クリアハードコート層４の表側（光の出射側）とクリア飛散防止層５の裏側（光の入射側）が、光学透明接着剤層であるＯＣＲ(Optically Clear Resin)を介して接合されている。
ここで、クリアハードコート層４の表側（光の出射側）と、クリア飛散防止層５の裏側（光の入射側）には、それぞれ粗面（凹凸）構造が形成されている。粗面（凹凸）構造は、転写成形した紫外線硬化樹脂に紫外線を照射して硬化させて、透明基材表面に形成させることにより、粗面の水との接触角が７０°以下になるようにしている。
上述した通り、粗面の水との接触角が４５°以下であることがより密着性を高め、また、粗面の水との接触角が３０°以下であることが更に密着性を高め視認性を向上できる。
【００２３】
ここで、クリアハードコート層４およびクリア飛散防止層５は、二酸化ケイ素（ＳｉＯ２）、二酸化チタン（ＴｉＯ２）または二酸化亜鉛（ＺｎＯ２）である。
また、透明基材は、所定強度以上を有する材質であれば特に限定されないが、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルサルフォン（ＰＥＳ）、環状オレフィン高分子（ＣＯＣ）、トリアセチルセルロース（ＴＡＣ）フィルム、ポリビニルアルコール（Ｐｏｌｙｖｉｎｙｌ ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、ガラスなどで形成することが好ましい。
【００２４】
また、本発明の画像表示装置の粗面（凹凸）構造における粗面の表面積は、平坦面の表面積との比率が１．２以上である。これについて、図６、７を参照して、平坦面と粗面の濡れ性（接触角）について説明する。
一般に、平坦面と粗面の濡れ性（接触角）は、下記数式のWenzelの式を満たすことが知られている。ここで、θｗは粗面の接触角であり、θｈは平坦面の接触角である（図６を参照）。液体が固体を濡らし（濡れと呼ぶ）場合、θは鋭角であり、逆に液体は固体からはじかれる場合、θは鈍角になる。また、ｒは粗面の表面積と平坦面の表面積との比率であり、ｒ＝Ｓｗ／Ｓｈである（Ｓｗ：樹脂凹凸面の表面積，Ｓｈ：樹脂平坦面の表面積）。
（数３）
ｃｏｓθｗ  ＝  ｒ × ｃｏｓθｈ      ・・・（式３）
【００２５】
液体が固体を濡らす場合（θが鋭角）、液体は固体表面の限られた範囲に広がる。例えば、θが０°であると、液体は固体表面全体を完全に濡らし、表面全体に広がることになる。
図３に、粗面の濡れ性（接触角）特性グラフを示す。図３のグラフは、ｒ（＝Ｓｗ／Ｓｈ）を横軸に、θｗ／θｈを縦軸にとり、平坦面の接触角（θｈ）が３０°，５０°，７０°，９０°の場合についてプロットしたものである。
図３に示すように、平坦面の接触角（θｈ）が７０°以下で、粗面の表面積と平坦面の表面積との比率（ｒ）が１．２以上の範囲が、９０°＞ θｈ ＞ θｗ となり、濡れ性が向上することがわかる。
【００２６】
図７（１）（２）に示す画像は、それぞれ粗面の純水との接触角を４５°以下にしたものと、７０°にしたものについて、実際に純水を落して濡れ性を比較したものである。図から粗面の純水との接触角を４５°以下にしたもの（図７（１））が７０°にしたもの（図７（２））よりも濡れ性に優れ、親和性があり、ＯＣＲなどの光学透明接着剤層との密着性がより向上できることが確認できる。
また、粗面（凹凸）構造の微細なパターンにより気泡噛みを回避し、ダイレクトボンディング法によるＯＣＲの塗布の際に発生する密着不良および気泡発生を低減・改善できる。
【００２７】
図４は、本発明の画像表示装置の作製処理フローの一実施例を示す。
先ず、転写成形した紫外線硬化樹脂に紫外線を照射して硬化させて透明基材表面に粗面形状を形成し、クリア飛散防止層となる第１透明保護シートを形成する（ステップＳ０１）。また、転写成形した紫外線硬化樹脂に紫外線を照射して硬化させて透明基材表面に粗面形状を形成し、クリアハードコート層となる第２透明保護シートを形成する（ステップＳ０２）。
【００２８】
ここで、透明基材表面に粗面形状を形成するプロセスについて説明する。巻出しロールから巻き出された透明基材フィルムに対し、フィルムの上面と下面を２つのロールで挟持しながら、他のロール表面から搬送させる紫外線硬化樹脂を、透明基材フィルムの上面に塗布する。そして、透明基材フィルムの上面に塗布された紫外線硬化樹脂には、ロール状金型によって、金型表面に形成された凸凹のパターンと同一のパターンが形成される。ロール状金型表面のパターンと同じパターンが形成された紫外線硬化樹脂は、透明基材フィルムの下面に設けたＵＶランプから照射される紫外線により硬化する。このようにして得られた透明基材フィルムは、ロール状金型からリリースされると、透明基材フィルム上に粗面（凹凸）構造が形成されている。
ロール状金型は、ブラスト粒子を衝打して作製する。透明基材フィルム表面に塗布した紫外線硬化樹脂を転写成形し、転写成形した紫外線硬化樹脂に紫外線を照射して硬化させて、透明基材フィルム表面に微細な粗面（凹凸）構造が形成できる。
【００２９】
透明保護シートに粗面（凹凸）構造が形成できると、次に、タッチセンサの裏面側に第１透明保護シートを貼りつける（ステップＳ０３）。また、ディスプレイの表面側に第２透明保護シートを貼りつける（ステップＳ０４）。
そして、タッチセンサの裏面側とディスプレイの表面側を、ＯＣＲを用いて接合する（ステップＳ０５）。
【実施例１】
【００３０】
図２は実施例１の画像表示装置の拡大断面模式図を示している。図２に示す画像表示装置では、液晶ディスプレイ１１の表側に偏光層１２が積層され、その上にクリアハードコート層１３が設けられている。また、タッチセンサ１７の裏側（光の入射側）にＰＥＴ（ポリエチレンテレフタレート）層１６があり、更にクリア飛散防止層１５が積層されている。そして、クリアハードコート層１３とクリア飛散防止層１５が、ＯＣＲ(Optically Clear Resin)１４を介して接合されている。クリアハードコート層１３とクリア飛散防止層１５には粗面が形成されている。この粗面の接触角（純水）は４１°である。
【００３１】
また、実施例１の画像表示装置では、偏光層１２、クリアハードコート層１３、ＯＣＲ１４、クリア飛散防止層１５、ＰＥＴ層１６のそれぞれの材料の屈折率をマッチングさせることにより、透明性、全光線透過率、写像性等の光学特性を向上させ、接合後に高い透明性を実現した。
【００３２】
また、実施例１の画像表示装置において、透明樹脂の溶解度パラメータ（ＳＰ値）を制御することもできる。透明樹脂の溶解度パラメータ（ＳＰ値）は、Ｈｉｌｄｅｂｒａｎｄの正則溶液論により定義される。ＳＰ値は、透明樹脂の親水性の度合いを表すパラメータであり、ＳＰ値の値が大きい樹脂は親水性であることを意味する。ＳＰ値は単位（（ｃａｌ／ｃｍ２）０．５）を有するが、本明細書中においては、ＳＰ値を１（ｃａｌ／ｃｍ２）０．５で除した無次元ＳＰ値を用いることにする。一般にＳＰ値の近い溶媒とポリマーは溶解し易い。混合物のＳＰ値は、ＳＰ値が知られている溶媒やポリマーとの相対比較で考えることができる。
【産業上の利用可能性】
【００３３】
本発明は、タッチセンサを備えた画像表示装置として有用である。
【符号の説明】
【００３４】
１，１０  画像表示装置
２，１１  液晶ディスプレイ
３，１７  タッチセンサ
４，４ａ，１３  クリアハードコート層
５，５ａ，１５  クリア飛散防止層
６，１４，１８  ＯＣＲ
１２  偏光板
１６  ＰＥＴ（ポリエチレンテレフタレート）
２０  ダム剤
θｗ  粗面（凹凸面）での水の接触角
θｈ  平坦面での水の接触角
【図１】
2015114852.tif 000003
【図２】
2015114852.tif 000004
【図３】
2015114852.tif 000005
【図４】
2015114852.tif 000006
【図５】
2015114852.tif 000007
【図６】
2015114852.tif 000008
【図７】
2015114852.tif 000009
【図８】
2015114852.tif 000010